(57)【要約】  コンテンツと対応付け情報を受信する手段であって、該対応付け情報は、表示部に形成される複数のセグメントのそれぞれとそのセグメントに出力される該コンテンツとの対応付けを含む、前記受信手段と、前記対応付け情報に基づいて、コンテンツをセグメントに出力する手段と、プロセッサと、を備え、前記プロセッサは、前記セグメントを識別するセグメント情報とコンテンツを識別するコンテンツ情報を含むログ情報であって前記コンテンツの出力履歴を表す該ログ情報を生成し、前記セグメント情報および前記コンテンツ情報のいずれかに基づいて該ログ情報の一部を抽出し、前記抽出されたログ情報を出力する、ように構成されてなる、ログ情報を表示するための装置を開示する。【選択図】図３
2011523107.tif 000002
【特許請求の範囲】
【請求項１】
少なくとも１つのコンテンツと対応付け情報を受信する受信手段（１０７）であって、該対応付け情報は、表示部（３００）に形成される複数のセグメントのそれぞれとその複数のセグメントに出力される該少なくとも１つのコンテンツのそれぞれとの対応付けを含む、前記受信手段と、
前記対応付け情報に基づいて、前記少なくとも１つのコンテンツを前記複数のセグメントに出力する出力手段（１０５）と、
プロセッサ（１０１）と、
を備え、
前記プロセッサは、
前記複数のセグメントのそれぞれを識別するセグメント情報と前記少なくとも１つのコンテンツのそれぞれを識別するコンテンツ情報を含むログ情報であって、前記コンテンツの出力履歴を表す該ログ情報を生成し、
前記セグメント情報および前記コンテンツ情報のいずれかに基づいて該ログ情報の一部を抽出し、
前記抽出されたログ情報を出力する、ように構成される、
ログ情報を表示するための装置（１００）。
【請求項２】
前記プロセッサが、
ログ情報を生成した時刻を表す時間情報をさらに含むログ情報を生成し、
さらに前記時間情報に基づいて前記生成されたログ情報を抽出する、ように構成される、請求項１に記載の装置。
【請求項３】
前記対応付け情報は、前記少なくとも１つのコンテンツのそれぞれを出力する所定の時間を示す出力時間情報であって、前記複数のセグメントのそれぞれと前記少なくとも１つのコンテンツのそれぞれとに対応づけられた出力時間情報をさらに含み、
前記プロセッサが、
前記所定時間に前記少なくとも１つのコンテンツのそれぞれを前記複数のセグメントのそれぞれに出力し、
前記出力時間情報に基づいて前記生成されたログ情報を抽出する、ように構成される、請求項１に記載の装置。
【請求項４】
前記プロセッサが、
前記セグメントまたは前記コンテンツの指定をユーザから受け取り、当該指定されたセグメントを識別するセグメント情報または当該指定されたコンテンツを識別するコンテンツ情報に基づいて前記ログ情報の一部を抽出する、ように構成される、請求項１に記載の装置。
【請求項５】
前記プロセッサが、前記抽出されたログ情報を、前記指定されたセグメント、または、前記指定されたコンテンツの出力先のセグメントに出力する、ように構成される、請求項４に記載の装置。
【請求項６】
前記プロセッサが、
さらに優先度レベルに基づいてログ情報を抽出し、
前記抽出したログ情報に含まれるセグメント情報またはコンテンツ情報の少なくともいずれかと優先度レベルとを出力する、
ように構成される、請求項１に記載の装置。
【請求項７】
少なくとも１つのコンテンツと対応付け情報を受信するステップであって、該対応付け情報は、表示部に形成される複数のセグメントのそれぞれとその複数のセグメントに出力される該少なくとも１つのコンテンツのそれぞれとの対応付けを含む、該受信するステップと、
前記対応付け情報に基づいて、前記少なくとも１つのコンテンツを前記複数のセグメントに出力するステップと、
前記複数のセグメントのそれぞれを識別するセグメント情報と前記少なくとも１つのコンテンツのそれぞれを識別するコンテンツ情報とを含み、前記コンテンツの出力履歴を表す該ログ情報を生成するステップと、
前記セグメント情報および前記コンテンツ情報のいずれかに基づいて該ログ情報の一部を抽出するステップ（Ｓ１５）と、
前記抽出されたログ情報を出力するステップ（Ｓ１６）と、
を含むログ情報表示方法。
【請求項８】
前記ログ情報を生成するステップは、ログ情報を生成した時刻を表す時間情報をさらに含むログ情報を生成し、
前記抽出するステップは、さらに前記時間情報に基づいて前記生成されたログ情報を抽出する、請求項７に記載のログ情報表示方法。
【請求項９】
前記対応付け情報は、少なくとも１つのコンテンツのそれぞれを出力する所定の時間を示す出力時間情報であって、前記複数のセグメントのそれぞれと前記少なくとも１つのコンテンツのそれぞれとに対応づけられた出力時間情報をさらに含み、
前記コンテンツを出力するステップでは、前記所定時間に少なくとも１つのコンテンツのそれぞれを前記複数のセグメントのそれぞれに出力し、
前記ログ抽出ステップでは、前記出力時間情報に基づいて前記生成されたログ情報をさらに抽出する、請求項７に記載のログ情報表示方法。
【請求項１０】
前記抽出するステップは、前記セグメントまたは前記コンテンツの指定をユーザから受け取り、当該指定されたセグメントを識別するセグメント情報または当該指定されたコンテンツを識別するコンテンツ情報に基づいてログ情報の一部を抽出する、請求項７に記載のログ情報表示方法。
【請求項１１】
前記ログ情報を出力するステップは、前記抽出されたログ情報を、前記指定されたセグメント、または、前記指定されたコンテンツの出力先のセグメントに出力する、請求項１０に記載のログ情報表示方法。
【請求項１２】
前記抽出するステップでは、優先度レベルに基づいてログ情報を抽出し、
前記ログ情報を出力するステップは、前記抽出したログ情報に含まれるセグメント情報またはコンテンツ情報の少なくともいずれかと前記優先度レベルとを出力する、
請求項７に記載のログ情報表示方法。
【請求項１３】
少なくとも１つのコンテンツと対応付け情報を受信するステップであって、該対応付け情報は、表示部に形成される複数のセグメントのそれぞれとその複数のセグメントに出力される該少なくとも１つのコンテンツのそれぞれとの対応付けを含む、該受信するステップと、
前記対応付け情報に基づいて、前記少なくとも１つのコンテンツを前記複数のセグメントに出力するステップと、
前記複数のセグメントのそれぞれを識別するセグメント情報と前記少なくとも１つのコンテンツのそれぞれを識別するコンテンツ情報とを含み、前記コンテンツの出力履歴を表すログ情報を生成するステップと、
前記セグメント情報および前記コンテンツ情報のいずれかに基づいてログ情報の一部を抽出するステップ（Ｓ１５）と、
前記抽出されたログ情報を出力するステップ（Ｓ１６）と、をコンピュータ端末に実行させるプログラム。
【請求項１４】
表示部（３００）に形成される複数のセグメントのそれぞれとその複数のセグメントに出力される少なくとも１つのコンテンツのそれぞれとの対応付け情報を生成する対応付け生成手段と、
前記対応付け情報に基づいて、前記少なくとも１つのコンテンツを前記複数のセグメントに出力する出力手段（１０５）と、
プロセッサ（１０１）と、
を備え、
前記プロセッサは、
前記複数のセグメントのそれぞれを識別するセグメント情報と前記少なくとも１つのコンテンツのそれぞれを識別するコンテンツ情報を含むログ情報であって、前記コンテンツの出力履歴を表す該ログ情報を生成し、
前記セグメント情報および前記コンテンツ情報のいずれかに基づいて該ログ情報の一部を抽出し、
前記抽出されたログ情報を出力する、ように構成される、
ログ情報表示システム（１０）。
【発明の詳細な説明】
【技術分野】
【０００１】
本発明は、コンテンツの出力履歴を示すログ情報の表示に関する。
【背景技術】
【０００２】
近年、教育施設や商業施設など様々な施設において、動画、静止画、テキスト、音声等の複数のコンテンツを組み合わせて同時に出力するというニーズが高まってきている。例えば、より多くの情報を一度に顧客や生徒などのユーザに伝えるために、一つのディスプレイに複数のコンテンツを同時に出力したいというニーズがある。また、視覚的にも聴覚的にもより分かりやすく効果的に情報をユーザに伝えるために、動画に関連する音声やテキストデータを同期させて出力したいというニーズもある。
【０００３】
このようなニーズに応える装置として、例えばＳＴＢ（Ｓｅｔ  Ｔｏｐ  Ｂｏｘ）が挙げられる。ＳＴＢは、ネットワークを介してサーバと管理用のコンピュータ端末とに、ケーブルを介して出力装置とに接続されていて、サーバから配信される複数の映像コンテンツをディスプレイ等の出力装置で視聴可能な信号に変換して、出力装置に出力する機能を有する端末装置である。ＳＴＢは、ＨＴＭＬ（ＨｙｐｅｒＴｅｘｔ  Ｍａｒｋｕｐ  Ｌａｎｇｕａｇｅ）等による記述言語に基づいてディスプレイの表示領域を複数領域に分割し、サーバに蓄積された複数のコンテンツを各領域に同時に出力する。
【先行技術文献】
【特許文献】
【０００４】
【特許文献１】特開平１１−２６６４４６号公報
【発明の概要】
【発明が解決しようとする課題】
【０００５】
複数のコンテンツの出力のいずれかに不具合が発生した場合、ディスプレイ上の不具合が発生したコンテンツの表示領域に、所定のアイコンや動画、メッセージを表示しユーザに不具合の発生を通知する方法がある。
【０００６】
しかしこの場合、不具合の原因までは通知しにくいという問題がある。不具合は、例えば画像のデータフォーマットやサイズが異なるため画像を表示できない場合や、画像のファイル自体を取得できない場合である。このような不具合に対応するログ情報を表示しようとすると、さまざまな原因で生成されたログ情報は膨大であるので、コンテンツの表示領域に十分に表示できない。さらに、他のコンテンツの表示領域にまでログ情報が表示されると、そのコンテンツが見えなくなってしまう。また、ログ情報を表示できたとしても、膨大なログ情報の中から参照したいログ情報を特定することは手間のかかる作業となる。
【０００７】
そこで、本発明は、表示される複数のコンテンツについての出力履歴を必要な部分だけ容易に表示可能な装置および方法を提供することを目的とする。
【課題を解決するための手段】
【０００８】
本発明の第一の態様によれば、少なくとも１つのコンテンツと対応付け情報を受信する受信手段（１０７）であって、該対応付け情報は、表示部（３００）に形成される複数のセグメントのそれぞれとその複数のセグメントに出力される少なくとも１つのコンテンツのそれぞれとの対応付けを含む、受信手段と、対応付け情報に基づいて、少なくとも１つのコンテンツを複数のセグメントに出力する出力手段（１０５）と、プロセッサ（１０１）と、を備え、プロセッサは、複数のセグメントのそれぞれを識別するセグメント情報と少なくとも１つのコンテンツのそれぞれを識別するコンテンツ情報を含むログ情報であってコンテンツの出力履歴を表すログ情報を生成し、セグメント情報およびコンテンツ情報のいずれかに基づいて該ログ情報の一部を抽出し、抽出されたログ情報を出力する、ように構成されてなる、ログ情報を表示するための装置（１００）を提供する。
【０００９】
本発明によれば、コンテンツの出力履歴を示すログ情報は、セグメントを識別するセグメント情報とコンテンツを識別するコンテンツ情報とを含むように生成される。例えば、あるセグメントに動画が出力されている場合、動画が出力されているセグメントを識別するセグメント情報と動画を識別するコンテンツ情報とを含むログ情報が生成される。生成されたログ情報の中から、セグメント情報及びコンテンツ情報のいずれかを検索キーとして用いてログ情報が抽出され、出力装置に出力される。これにより、複数のセグメントにそれぞれコンテンツが並行して出力されている場合に、ユーザは、所望のセグメントに出力されたコンテンツのログ情報や、所望のコンテンツのログ情報を、膨大なログ情報の中から容易に参照することができる。
【００１０】
なお、セグメントは、本願請求の範囲および明細書において、コンテンツの出力先である表示部の全表示領域の一部に形成された領域である。ただし、ピクチャ・イン・ピクチャの表示形式の場合は、セグメントの一つが表示部の全表示領域であってもよい。また、コンテンツには、例えば、動画、静止画、テキスト等が含まれる。
【００１１】
本発明の他の態様によれば、少なくとも１つのコンテンツと対応付け情報を受信するステップであって、該対応付け情報は、表示部に形成される複数のセグメントのそれぞれとその複数のセグメントに出力される該少なくとも１つのコンテンツのそれぞれとの対応付けを含む、該受信するステップと、対応付け情報に基づいて、少なくとも１つのコンテンツを複数のセグメントに出力するステップと、複数のセグメントのそれぞれを識別するセグメント情報と少なくとも１つのコンテンツのそれぞれを識別するコンテンツ情報とを含み、コンテンツの出力履歴を表す該ログ情報を生成するステップと、セグメント情報およびコンテンツ情報のいずれかに基づいて該ログ情報の一部を抽出するステップ（Ｓ１５）と、抽出されたログ情報を出力するステップ（Ｓ１６）と、を含むログ情報表示方法が提供される。
【００１２】
本発明によれば、複数のセグメントにそれぞれコンテンツが並行して出力されている場合に、ユーザは、所望のセグメントに出力されたコンテンツのログ情報や、所望のコンテンツのログ情報を、膨大なログ情報の中から容易に参照することができる。
【００１３】
本発明のその他の態様によれば、少なくとも１つのコンテンツと対応付け情報を受信するステップであって、該対応付け情報は、表示部に形成される複数のセグメントのそれぞれとその複数のセグメントに出力される該少なくとも１つのコンテンツのそれぞれとの対応付けを含む、該受信するステップと、対応付け情報に基づいて、少なくとも１つのコンテンツを複数のセグメントに出力するステップと、複数のセグメントのそれぞれを識別するセグメント情報と少なくとも１つのコンテンツのそれぞれを識別するコンテンツ情報とを含み、コンテンツの出力履歴を表すログ情報を生成するステップと、セグメント情報およびコンテンツ情報のいずれかに基づいてログ情報の一部を抽出するステップ（Ｓ１５）と、抽出されたログ情報を出力するステップ（Ｓ１６）と、をコンピュータ端末に実行させるプログラムが提供される。
【００１４】
本発明によれば、複数のセグメントにそれぞれコンテンツが並行して出力されている場合に、ユーザは、所望のセグメントに出力されたコンテンツのログ情報や、所望のコンテンツのログ情報を、膨大なログ情報の中から容易に参照することができる。
【００１５】
本発明のその他の態様によれば、表示部（３００）に形成される複数のセグメントのそれぞれとその複数のセグメントに出力される少なくとも１つのコンテンツのそれぞれとの対応付け情報を生成する生成手段と、対応付け情報に基づいて、少なくとも１つのコンテンツを複数のセグメントに出力する出力手段（１０５）と、プロセッサ（１０１）と、を備え、プロセッサは、複数のセグメントのそれぞれを識別するセグメント情報と少なくとも１つのコンテンツのそれぞれを識別するコンテンツ情報を含むログ情報であって、コンテンツの出力履歴を表す該ログ情報を生成し、セグメント情報およびコンテンツ情報のいずれかに基づいて該ログ情報の一部を抽出し、抽出されたログ情報を出力する、ように構成されてなる、ログ情報表示システム（１０）が提供される。
【００１６】
本発明によれば、複数のセグメントにそれぞれコンテンツが並行して出力されている場合に、ユーザは、所望のセグメントに出力されたコンテンツのログ情報や、所望のコンテンツのログ情報を、膨大なログ情報の中から容易に参照することができる。
【発明の効果】
【００１７】
本発明を用いれば、表示手段に複数のコンテンツが並行して出力されていても、コンテンツの出力履歴のうち必要な部分だけ容易に参照することができる。
【図面の簡単な説明】
【００１８】
【図１】本発明の第１実施形態に係るログ情報表示システムの全体構成図である。
【図２】本発明の第１実施形態に係るマルチメディア端末のハードウェア構成を示すブロック図である。
【図３】本発明の第１実施形態に係るマルチメディア端末の機能構成を示すブロック図である。
【図４】対応付けテーブルの一例を示す説明図である。
【図５】ログＤＢに蓄積されるログ情報の一例を示す説明図である。
【図６】複数のコンテンツが出力されている画面例である。
【図７】コンテンツの出力中に不具合が生じた場合の画面例である。
【図８】確認ウインドウの一例を示す。
【図９】セグメント指定ウインドウの一例を示す。
【図１０】不具合を示す所定の通知と確認ウインドウとセグメント指定ウインドウとを兼用する画面の一例を示す。
【図１１Ａ】ログウインドウの一例を示す。
【図１１Ｂ】ログウインドウの一例を示す。
【図１２】ＣＰＵが実行するログ情報表示処理の流れの一例を示すフローチャートである。
【図１３】本発明の第２実施形態におけるコンテンツ指定ウインドウの一例を示す。
【図１４】本発明の第２実施形態における確認ウインドウとコンテンツ指定ウインドウとを兼用する画面の一例を示す。
【図１５】本発明の第３実施形態におけるログ抽出部が表示する時間指定ウインドウの一例を示す。
【図１６】本発明の第３実施形態におけるログウインドウの一例を示す。
【図１７Ａ】本発明の第４実施形態に係るコンテンツ指定ウインドウの一例を示す。
【図１７Ｂ】本発明の第４実施形態に係るコンテンツ指定ウインドウの一例を示す。
【図１８】本発明の第６実施形態における対応付けテーブルの一例を示す説明図である。
【図１９】音声データのコンテンツに不具合が発生した状態を示す。
【図２０】音声データのセグメントを指定するセグメント指定ウインドウの一例を示す。
【発明を実施するための形態】
【００１９】
＜第１実施形態＞
１．システム全体
図１は、本発明の第１実施形態に係るログ情報表示システムの全体構成図を示す。
【００２０】
図１を参照するに、ログ情報システム１０は、マルチメディア端末１００と、マルチメディア端末１００とインターネットなどのネットワーク４００を介して接続されているサーバ２００と、マルチメディア端末１００とケーブル５００を介して接続されているディスプレイ３００と、ユーザの操作結果を示す操作信号を生成しマルチメディア端末１００に操作信号を出力する操作部６００とを含む。
【００２１】
マルチメディア端末１００は、複数のコンテンツを、異なる複数のセグメントに出力する端末である。コンテンツには、動画、静止画及びテキストなど視覚的に検出可能な様々な種類のデータが含まれる。第１実施形態では、説明を容易にするために、コンテンツは動画、静止画及びテキストであるとする。第１実施形態において、セグメントは、各コンテンツの出力先であるディスプレイの全表示領域の一部分に形成された各表示領域であるとする。セグメント情報は、各セグメントを識別する情報であり、第１実施形態ではセグメント識別子と呼ぶ。セグメント識別子は、動的に割り振られてもよいし、固定であってもよい。
【００２２】
マルチメディア端末１００は、例えばＳＴＢであり、サーバ２００から配信されるコンテンツをディスプレイ３００に出力する。マルチメディア端末１００は、図１では一つしか図示されていないが、複数のマルチメディア端末１００がサーバ２００に接続され、複数のマルチメディア端末１００のそれぞれにディスプレイ３００が接続されていてもよい。
【００２３】
サーバ２００は、コンテンツＤＢ２０１と対応付けＤＢ２０２とを有している。コンテンツＤＢ２０１は、コンテンツ情報とコンテンツとを対応付けて記憶している。コンテンツ情報とは、各コンテンツを識別する情報であり、第１実施形態ではコンテンツ識別子と呼ぶ。コンテンツ識別子としては、例えばファイル名やＵＲＬ（Ｕｎｉｖｅｒｓａｌ  Ｒｅｓｏｕｒｃｅ  Ｌｏｃａｔｏｒ）を用いることができる。対応付けＤＢ２０２は、コンテンツ識別子とセグメント識別子とコンテンツの出力時間とを対応付けた対応付けデータを記憶している。コンテンツＤＢ２０１や対応付けＤＢ２０２は、必ずしもサーバ２００になくてもよく、例えばマルチメディア端末１００内に持たせることもできる。
【００２４】
２．マルチメディア端末
《マルチメディア端末のハードウェア構成》
図２は、本発明の第１実施形態に係るマルチメディア端末１００のハードウェア構成を示すブロック図である。
【００２５】
図２を参照するに、この例では、マルチメディア端末１００は、ＣＰＵ１０１、ＲＡＭ１０２、ＲＯＭ１０３、入力インターフェース１０４、出力インターフェース１０５と、ハード・ディスク・ドライブ（ＨＤＤ）１０６、通信インターフェース１０７、およびこれらを接続するバス１０８を有している。
【００２６】
ＣＰＵ１０１は、ＲＯＭ１０３に記録されている制御プログラムを実行し、マルチメディア端末１００全体の動作を制御する。ＣＰＵ１０１は、プロセッサであればよく、プロセッサには、ＣＰＵの他、ＭＰＵ、ＧＰＵ、およびＤＳＰ等の処理回路が組み込まれた回路を用いることができる。プロセッサは汎用でも、カスタムメイド、例えばＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）でもよい。ＲＡＭ１０２は、プログラムを実行するための作業領域として機能する。ＲＯＭ１０３は、制御プログラムや予め設定されているパラメータなどを格納する。入力インターフェース（図中、Ｉ／Ｆ）１０４は、リモート・コントローラやキーボードなどの操作部６００に対するユーザの操作結果を示す操作信号を受け付け、バス１０８を介してＣＰＵ１０１に操作信号を供給する。出力インターフェース（図中、Ｉ／Ｆ）１０５は、ディスプレイ３００などの出力機器にコンテンツを供給する。ＨＤＤ１０６は、サーバ２００から読み出されバス１０８を介して供給されるコンテンツや対応付けデータを記憶する。通信インターフェース（図中、Ｉ／Ｆ）１０７は、ネットワーク４００を介してサーバ２００とデータの送受信を行う。
【００２７】
《マルチメディア端末の機能構成》
図３は、マルチメディア端末１００の機能構成を示すブロック図である。
【００２８】
図３を参照するに、マルチメディア端末１００のＣＰＵ１０１は、プログラムを実行することにより、対応付け部１０１ａ、コンテンツ出力部１０１ｂ、ログ生成部１０１ｃ、ログ抽出部１０１ｄ及びログ表示部１０１ｅを含む。マルチメディア端末１００のＨＤＤ１０６は、対応付けテーブル１０６ａ及びログＤＢ１０６ｂを有している。ＣＰＵ１０１は、これらのＨＤＤ１０６上のデータに基づいて処理を行うので、まずＨＤＤ１０６上のデータについて説明し、次いでＣＰＵ１０１の各機能部について説明する。
【００２９】
（１）ＨＤＤ上のデータ
（１−１）対応付けテーブル
図４は、対応付けテーブルの一例を示す説明図である。
【００３０】
図４を参照するに、対応付けテーブル１０６ａは、サーバ２００（図１）から取得した対応付けデータを記憶している。対応付けテーブル１０６ａはＨＤＤ１０６に記憶されている。なお、対応付けテーブル１０６ａは、ＲＡＭ１０２に記憶されていてもよい。
【００３１】
対応付けテーブル１０６ａでは、少なくとも「セグメント識別子」と「コンテンツ識別子」とが対応づけられる。対応付けテーブル１０６ａでは、セグメント識別子及びコンテンツ識別子に加えて他の情報が対応づけられてもよく、この例ではコンテンツの「出力時間」がさらに対応付けられている。図４の対応付けテーブル１０６ａは、例えばセグメント識別子“Ｓｅｇ００１”に対し、８：００〜９：５９の間にコンテンツ識別子“ｍｏｖｉｅ  Ａ”を対応付け、１０：００〜１３：５９の間にコンテンツ識別子“ｍｏｖｉｅ  Ｂ”が対応付けられる。
【００３２】
この例では、出力時間が絶対時間情報により示されているが、必ずしもこれに限定されない。例えば出力時間は、コンテンツ識別子“ｍｏｖｉｅ  Ａ”の出力開始時間に対する相対時間情報でもよく、相対時間情報に基づき次に出力するべきコンテンツの開始時間を示すことができる。
【００３３】
また、この例では対応付けテーブル１０６ａでは、セグメント識別子とセグメントの表示領域を示す座標とが対応付けられている。セグメントの表示領域は、本例ではディスプレイ３００の一部の表示領域である。各表示領域は例えば（ｘ、ｙ、ｚ）座標で記述することができる。第１実施形態では、説明を容易にするために、（ｘ、ｙ）座標で示された２次元の各セグメントの表示領域が、互いに重複せず、また時間によって変化しない場合を示している。しかし、各セグメントの表示領域は、互いに重複していてもよく、この場合各セグメントの表示領域は、３次元の（ｘ、ｙ、ｚ）座標で示されてもよい。また、セグメントＩＤと座標との対応付けは、対応付けテーブル１０６ａとは別に記憶してもよい。
【００３４】
対応付けテーブル１０６ａは、例えばＳＭＩＬ（Ｓｙｎｃｈｒｏｎｉｚｅｄ  Ｍｕｌｔｉｍｅｄｉａ  Ｉｎｔｅｇｒａｔｉｏｎ  Ｌａｎｇｕａｇｅ）やＨＴＭＬ（ＨｙｐｅｒＴｅｘｔ  Ｍａｒｋｕｐ  Ｌａｎｇｕａｇｅ）等の記述言語を用いて記述することができる。ＳＭＩＬなどで記述された対応付けデータに基づいて、複数のコンテンツが各セグメントに出力される。出力例については、「（２−２）コンテンツ出力部」で後述する。
【００３５】
（１−２）ログＤＢ
図５は、ログＤＢに蓄積されるログ情報の一例を示す説明図である。
【００３６】
図５を参照するに、ログ情報は、ログＤＢ１０６ｂに蓄積され、コンテンツ出力部１０１ｂによるコンテンツ出力履歴であり、ログ生成部１０１ｃにより書き込まれる。ログ情報は少なくとも「セグメント識別子」と「コンテンツ識別子」と「履歴」とを対応づけている。この例では、ログ情報は、その１レコード内に、「レコード番号」、「時間」、「優先度レベル」、「履歴」、「セグメント識別子」及び「コンテンツ識別子」を含む。
【００３７】
「レコード番号」は、各レコードを識別する任意の番号である。「時間」は、ログ情報が生成された時間情報である。「優先度レベル」は、コンテンツの出力プログラムが出力する各コンテンツの出力履歴に含まれる各レコードの重要度を示す。優先度レベルは、第１実施形態では低い方から順に、“ｉｎｆｏｒｍａｔｉｏｎ”、“ｎｏｔｉｃｅ”、“ｗａｒｎｉｎｇ”、“ｅｒｒｏｒ”、“ｃｒｉｔｉｃａｌ”で表される。「履歴」は、コンテンツの出力プログラムにより生成される、出力プログラムの動作状態を示すテキストメッセージである。例えば出力するコンテンツファイルが見つからない場合は、履歴にはメッセージ「Ｆｉｌｅ  Ｎｏｔ  Ｆｏｕｎｄ」が書き込まれる。「セグメント識別子」は、セグメントを識別する情報である。「コンテンツ識別子」は、コンテンツを識別する情報である。
【００３８】
ログ情報に含まれる時間情報は、ログ情報の原因となるイベントが発生した時間であってもよい。ログ情報は、上記の情報だけでなく他の情報、例えばプログラムの動作情報も含んでいてもよい。プログラムの動作情報としては、プログラムの起動・終了を示すメッセージ、ユーザのログイン履歴、機器が正常に動作していることを示すメッセージを挙げることができる。
【００３９】
（２）ＣＰＵの機能部
（２−１）対応付け部
図３に戻り、対応付け部１０１ａは、ディスプレイ３００の複数のセグメントと各セグメントにそれぞれ出力されるコンテンツとを対応付ける。第１実施形態では、対応付け部１０１ａは、サーバ２００からコンテンツ識別子とセグメント識別子とコンテンツの出力時間とを対応付けた対応付けデータを取得し、対応付けテーブル１０６ａに格納する。対応付けデータの取得タイミングは、特に限定されないが、例えば所定時間ごとに取得してもよく、所定の曜日および時刻に取得してもよい。また対応付け部１０１ａは、サーバ２００からプッシュ方式で任意のタイミングで対応付けデータを取得してもよい。
【００４０】
（２−２）コンテンツ出力部
〔コンテンツ出力〕
コンテンツ出力部１０１ｂは、対応付けテーブル１０６ａに含まれている対応付けデータに基づき、各コンテンツをサーバ２００から取得し各セグメントに出力する。コンテンツを出力するセグメント及び時間は、対応付けデータにより指定されているセグメント及び出力時間である。コンテンツ出力部１０１ｂは、１または複数の出力プログラムによりその機能がＣＰＵ１０１上で実現される。出力プログラムとしては、例えばウェブブラウザ、電子メール、動画出力プログラム、音声出力プログラムを挙げることができる。
【００４１】
図６は、複数のコンテンツが出力されているディスプレイ３００の画面例である。
【００４２】
図６を参照するに、この例ではディスプレイ３００の表示領域は３つに分割され、３つのセグメントが形成されている。各セグメントは、セグメント識別子“Ｓｅｇ００１”、“Ｓｅｇ００２”、“Ｓｅｇ００３”で識別される。以下では単に、セグメント“Ｓｅｇ００１”、セグメント“Ｓｅｇ００２”、セグメント“Ｓｅｇ００３”と表記する。セグメント“Ｓｅｇ００１”にはコンテンツ識別子“ｍｏｖｉｅ  Ａ”で特定される動画が表示されている。セグメント“Ｓｅｇ００２”にはコンテンツ識別子“ｔｅｘｔ  Ａ”のテキストデータが表示されている。セグメント“Ｓｅｇ００３”にはコンテンツ識別子“ｐｉｃｔｕｒｅ  Ａ”の静止画が表示されている。以下では単に、コンテンツ“ｍｏｖｉｅ  Ａ”、コンテンツ“ｔｅｘｔ  Ａ”、コンテンツ“ｐｉｃｔｕｒｅ  Ａ”と表記する。
【００４３】
〔ログ生成指示〕
コンテンツ出力部１０１ｂの各出力プログラムは、コンテンツの出力処理と並行して、ログ生成部１０１ｃに対しコンテンツの出力履歴を渡す。コンテンツ出力部１０１ｂがログ生成部１０１ｃに渡す出力履歴は、少なくとも「履歴」と「セグメント識別子」と「コンテンツ識別子」とを含む。出力履歴に含まれるデータはこの例に限られず、例えば「優先度レベル」と「履歴」と「セグメント識別子」と「コンテンツ識別子」とを含んでいてもよい。「優先度レベル」、「履歴」、「セグメント識別子」、及び「コンテンツ識別子」は、前述のログ情報と同じである。
【００４４】
また、コンテンツ出力部１０１ｂは、ログ生成部１０１ｃに対し、前述した優先度レベルを用いた記録ルールを指示してもよい。渡された出力履歴は、指示された記録ルールに応じて前述のログＤＢ１０６ｂに書き込まれる。例えば、所定の優先度レベル以上を有する出力履歴が、前述のログＤＢ１０６ｂに書き込まれる。また例えば、コンテンツ出力部１０１ｂは、ユーザが所望する優先度レベル”ｃｒｉｔｉｃａｌ”を有する出力履歴を画面に表示し、かつ別の優先度レベル”ｅｒｒｏｒ”を有する出力履歴の書き込みを前述のログ生成部１０１ｃに指示してもよい。
【００４５】
なお「優先度レベル」を示すメッセージ、例えば“ｉｎｆｏｒｍａｔｉｏｎ”、“ｎｏｔｉｃｅ”、“ｗａｒｎｉｎｇ”、“ｅｒｒｏｒ”、“ｃｒｉｔｉｃａｌ”は、各出力プログラムで共通であることが好ましい。ログ抽出部１０１ｄが一定以上の優先度レベルをログ情報から抽出することが容易になる。しかし、各出力プログラムごとに異なるメッセージを用いることもできる。「履歴」に記述されるテキストメッセージは、各出力プログラムに依存する。
【００４６】
〔不具合の表示〕
図７は、図６のセグメント“Ｓｅｇ００１”において、コンテンツ“ｍｏｖｉｅ  Ａ”の出力に不具合が生じた場合の画面例である。
【００４７】
図７を参照するに、この例では、出力プログラムは、セグメント“Ｓｅｇ００１”を、コンテンツ“ｍｏｖｉｅ  Ａ”の出力画面から「×」の不具合マークを示す静止画像に切り換えている。各出力プログラムは、コンテンツの出力に不具合が生じた場合、コンテンツに対応するセグメントに所定の通知を出力する。所定の通知とは、所定の動画像、静止画像、テキストメッセージまたはこれらの組み合わせであり、各出力プログラムに依存する。不具合とは、画質の低下、コンテンツの出力の停止などである。不具合は、例えばサーバ２００においてコンテンツが見つからない場合や、ネットワーク４００上でのパケットロスによりデータの受信が遅延した場合に生じる。不具合の原因は、コンテンツの出力プログラムやマルチメディア端末１００の動作環境に応じて様々である。
【００４８】
（２−３）ログ生成部
図３に戻り、ログ生成部１０１ｃは、コンテンツ出力部１０１ｂから渡される前述の出力履歴及び記録ルールの指示に応じ、前述のログ情報を生成しログＤＢ１０６ｂに書き込む。第１実施形態では、ログ生成部１０１ｃは、出力履歴とともにログ情報が生成された時間情報をログＤＢ１０６ｂにさらに書き込む。
【００４９】
ログ生成部１０１ｃは、例えばシスログ（ｓｙｓｌｏｇ）を用いて実現することができる。ログ生成部１０１ｃとしてシスログを用いず、各出力プログラムに応じた独自の仕組みでログ情報を生成してもよい。
【００５０】
（２−４）ログ抽出部
ログ抽出部１０１ｄは、ログＤＢ１０６ｂに記憶されたログ情報の一部を抽出し、抽出したログ情報をログ表示部１０１ｅに出力する。ログ情報の抽出は、セグメント識別子及びコンテンツ識別子のいずれかに基づいて行う。ログ抽出部１０１ｄは、セグメント識別子及びコンテンツ識別子のいずれかとログ情報が生成された時間情報とに基づいてログ情報を抽出してもよい。第１実施形態では、ログ抽出部１０１ｄはセグメント識別子に基づいてログ情報を抽出する。
【００５１】
〔確認ウインドウ〕
図８は、ログ抽出部１０１ｄが表示する「確認ウインドウ」の一例を示す。
【００５２】
図８を参照するに、「確認ウインドウ」は、ログ情報を表示するかどうかをユーザに選択させるためのものである。例えば操作部６００（先の図２参照）がリモート・コントローラである場合、ユーザはリモート・コントローラに設けられた所定のボタンを押すことにより「確認ウインドウ」の表示を指示する。「確認ウインドウ」で“Ｙｅｓ”がクリックされると、ログ抽出部１０１ｄは後述する「セグメント指定ウインドウ」を表示する。「確認ウインドウ」の表示タイミングは、不具合が発生した状態（先の図７参照）で操作部６００を介してユーザの所定の入力操作を受け付けたときを一例として挙げることができる。
【００５３】
〔セグメント指定ウインドウ〕
図９は、ログ抽出部１０１ｄが表示する「セグメント指定ウインドウ」の一例を示す。
【００５４】
図９を参照するに、「セグメント指定ウインドウ」はユーザからのセグメント識別子の指定を受け付ける。セグメント識別子の指定は、例えば、操作部６００（先の図２参照）がリモート・コントローラである場合、リモート・コントローラに設けられた所定のボタンをユーザが押すことによりなされる。この例では、セグメント“Ｓｅｇ００１”が指定された状態を示している。「セグメント指定ウインドウ」の表示に先立ち、ログ抽出部１０１ｄは、対応付けテーブル１０６ａを参照し、少なくともセグメント識別子を読み出す。ログ抽出部１０１ｄは、読み出した情報に基づいて「セグメント指定ウインドウ」を表示し、セグメント識別子の指定を受け付ける。例えばログ抽出部１０１ｄは、セグメント識別子のリストを表示し、いずれかのセグメント識別子の指定を受け付けてもよい。また例えば、ログ抽出部１０１ｄは、セグメントの位置の指定を受け付けることにより、指定されたセグメント識別子を特定しても良い。
【００５５】
セグメントの配置をセグメント指定ウインドウ上で表示してセグメントの位置の指定を受け付ければ、ユーザにとってセグメントの指定が視覚的に容易になると期待できる。各セグメントの配置が時間に応じて変化しない場合、あらかじめセグメントの表示領域の配置を示す指定ウインドウを生成しておくとよい。セグメント指定ウインドウに各表示領域とセグメント識別子との対応付けを持たせておけば、指定された表示領域に基づいてセグメント識別子を特定することが出来る。セグメントの配置が時間に応じて変化する場合、セグメントの表示領域を示す座標をさらに対応付けテーブル１０６ａから読み込めばよい。読み込んだ座標に基づいて、セグメントの配置をセグメント指定ウインドウに表示し、指定された表示領域に基づいてセグメント識別子を特定することが出来る。
【００５６】
ログ抽出部１０１ｄが表示する「確認ウインドウ」及び「セグメント指定ウインドウ」は、これらの例に限定されない。ログ抽出部１０１ｄは、例えば図１０に示すように不具合を示す所定の通知と「確認ウインドウ」と「セグメント指定ウインドウ」とを兼用する静止画面を表示してもよい。
【００５７】
（２−５）ログ表示部
図３に戻り、ログ表示部１０１ｅは、抽出されたログ情報をログ抽出部１０１ｄから受け取り、ディスプレイ３００に出力し表示する。
【００５８】
〔ログウインドウ〕
図１１Ａ及び図１１Ｂは、ログ表示部１０１ｅが表示するログウインドウの例をそれぞれ示す。
【００５９】
図１１Ａ及び図１１Ｂを参照するに、ログ表示部１０１ｅは、ログＤＢ１０６ｂに記憶されたログ情報から、少なくとも指定されたセグメント識別子を含むレコードを抽出し、抽出されたレコードを表示する。図１１Ａは、指定されたセグメント識別子を含む複数のレコードの一部の情報を表示する例である。図１１Ｂは、指定されたセグメント識別子を含む最新のレコードを表示する例である。またログ表示部１０１ｅは、少なくとも指定されたセグメント識別子を含む全部のレコードを表示してもよい。
【００６０】
本例では、ログ表示部１０１ｅは、指定されたセグメント識別子に基づいてレコードを抽出する。セグメント識別子を検索キーに用いてレコードを抽出することにより、指定したセグメントについてのログ情報だけを選択的に抽出することができる。図１１Ａの例では、ログ表示部１０１ｅは、抽出した各レコード中の「時間」、「優先度レベル」、「履歴」、「セグメント識別子」、及び「コンテンツ識別子」を、時間的に新しい順に表示している。図１１Ａ及び図１１Ｂにおいて「Ｍｏｒｅ」ボタンが選択されると、さらに古いログ情報が表示される。
【００６１】
≪マルチメディア端末が行う処理≫
図１２は、ＣＰＵ１０１のログ抽出部１０１ｄ及びログ表示部１０１ｅが実行するログ情報表示処理の流れの一例を示すフローチャートである。以下、図１２を参照しながら、ログ情報表示処理を説明する。いずれかのコンテンツ出力に不具合が発生した状態でユーザにより操作部６００（先の図２参照）を介してログ情報の表示が指示されると、本処理が開始される。
【００６２】
ステップＳ１１〜Ｓ１２では、ログ抽出部１０１ｄは、ディスプレイ３００に先の図８に示す「確認ウインドウ」を表示し（Ｓ１１）、ログ情報を表示するか否かの指定を受け付ける（Ｓ１２）。例えば、操作部６００（先の図２参照）がリモート・コントローラである場合、リモート・コントローラに設けられた所定のボタンが押されることで「確認ウインドウ」の表示の指示がなされる。「確認ウインドウ」で“Ｙｅｓ”が選択されると、すなわちログ情報の表示が選択されると、ステップＳ１３に移行する。「確認ウインドウ」で“Ｎｏ”が選択されると、本処理を終了する。
【００６３】
ステップＳ１３〜Ｓ１４では、ログ抽出部１０１ｄは、先の図９に示す「セグメント指定ウインドウ」を表示し（Ｓ１３）、セグメント識別子の指定を待機する（Ｓ１４）。例えば、ログ抽出部１０１ｄは「セグメント指定ウインドウ」の表示に先立ち、対応付けテーブル１０６ａを参照し、少なくともセグメント識別子を読み出す。そしてログ抽出部１０１ｄは、読み出した情報に基づいて「セグメント指定ウインドウ」を表示する。セグメント識別子が指定されると、ステップＳ１５に移行する。セグメント識別子の指定は、例えば、操作部６００（先の図２参照）がリモート・コントローラである場合、リモート・コントローラに設けられた所定のボタンをユーザが押すことによりなされる。
【００６４】
ステップＳ１５では、ログ抽出部１０１ｄは、ログＤＢ１０６ｂに記憶されたログ情報から、指定されたセグメント識別子を含むレコードを抽出し、ログ表示部１０１ｅに出力する。
【００６５】
ステップＳ１６では、ログ表示部１０１ｅは、ログ抽出部１０１ｄより抽出したレコードを受け取り、ログ情報を出力しディスプレイ３００に表示する。ログ表示部１０１ｅは、図１１Ａに示すように指定されたセグメント識別子を含むレコードの一部の情報を表示してもよく、図１１Ｂに示すように指定されたセグメント識別子を含む最新のレコードのみを表示してもよい。またログ表示部１０１ｅは、少なくとも指定されたセグメント識別子を含む全部のレコードを表示してもよい。
【００６６】
ステップＳ１７〜Ｓ１８では、ログ表示部１０１ｅは、抽出したレコードのうち未表示のレコードがある場合（Ｓ１７）、ユーザの指示に基づいて未表示レコードを表示する（Ｓ１８，Ｓ１６）。例えば先の図１１Ａ及び図１１Ｂにおいて「Ｍｏｒｅ」ボタンが押された場合である。そして抽出した全部または一部のレコードを表示した後にユーザから明示の指示があった場合（Ｓ１７，Ｓ１８）、本処理を終了する。例えば先の図１１Ａ及び図１１Ｂのログウインドウにおいて、「Ｒｅｔｕｒｎ」ボタンが押された場合である。
【００６７】
第１実施形態によると、コンテンツの出力履歴であるログ情報は、少なくともセグメントを識別するセグメント情報と、コンテンツを識別するコンテンツ情報とを含むように生成される。マルチメディア端末１００はユーザによるセグメント情報の指定を受け付け、指定されたセグメント情報を含むログ情報をログＤＢ１０６ｂから選択的に抽出しディスプレイ３００に出力する。従って、複数のセグメントにそれぞれコンテンツが並行に出力されている場合に、ユーザは、所望のセグメントに出力されたコンテンツのログ情報を、膨大なログ情報の中から選択的に参照することができる。
【００６８】
＜第２実施形態＞
第２実施形態では、マルチメディア端末のログ抽出部は、コンテンツを識別するコンテンツ情報に基づいてログ情報を抽出する。それ以外は、第２実施形態は前述の第１実施形態と同様の構成を有する。第２実施形態ではコンテンツ情報をコンテンツ識別子と呼ぶ。
【００６９】
図１３は、ログ抽出部１０１ｄが表示する「コンテンツ指定ウインドウ」の一例を示す。
【００７０】
図１３を参照するに、ログ抽出部１０１ｄは、現在出力されているコンテンツ識別子のリストを表示し、いずれかのコンテンツ識別子の指定を受け付ける。この例では、コンテンツ識別子“ｍｏｖｉｅ  Ａ”が指定された状態を示している。「コンテンツ指定ウインドウ」の表示に先立ち、ログ抽出部１０１ｄは、対応付けテーブル１０６ａを参照し、コンテンツ識別子を読み出す。先の図４に示す対応付けテーブル１０６ａを用いて説明すれば、現在の時間が“８：００〜９：３０”の間であれば、コンテンツ識別子“ｍｏｖｉｅ  Ａ”、“ｔｅｘｔ  Ａ”、“ｐｉｃｔｕｒｅ  Ａ”が読み出される。また例えば現在の時間が“９：３０〜１０：００”の間であれば、コンテンツ識別子“ｍｏｖｉｅ  Ａ”、“ｔｅｘｔ  Ａ”、“ｐｉｃｔｕｒｅ  Ｂ”が読み出される。ログ抽出部１０１ｄは、読み出した情報に基づいてコンテンツ識別子のリストを表示し、いずれかのコンテンツ識別子の指定を受け付ける。ログ抽出部１０１ｄが表示する「コンテンツ指定ウインドウ」は、これらの例に限定されない。
【００７１】
図１４は、「確認ウインドウ」と「コンテンツ指定ウインドウ」とを兼用する画面の一例を示す。
【００７２】
図１４を参照するに、ログ抽出部１０１ｄは、「確認ウインドウ」と「コンテンツ指定ウインドウ」とを兼用する静止画面を表示してもよい。
【００７３】
第２実施形態によると、マルチメディア端末１００は、コンテンツの出力履歴であるログ情報は、少なくともセグメントを識別するセグメント情報と、コンテンツを識別するコンテンツ情報とを含むように生成する。マルチメディア端末１００はユーザからコンテンツ情報の指定を受け付け、指定されたコンテンツ情報を含むログ情報をログＤＢ１０６ｂから選択的に抽出しディスプレイ３００に出力する。従って、複数のセグメントにそれぞれ複数のコンテンツが並行に出力されている場合であっても、ユーザは膨大なログ情報の中から所望のログ情報を選択的に参照することができる。
【００７４】
＜第３実施形態＞
第３実施形態では、マルチメディア端末のログ抽出部は、セグメントを識別するセグメント情報に加えてさらにログ情報が生成された時間情報に基づいてログ情報を抽出する。それ以外は、第３実施形態は前述の第１実施形態と同様の構成を有する。
【００７５】
図１５は、ログ抽出部１０１ｄが表示する「時間指定ウインドウ」の一例を示す。
【００７６】
図１５を参照するに、ログ抽出部１０１ｄは、ログ情報が生成された時間情報の指定を受け付ける。「時間指定ウインドウ」は、例えば先の図９に示す「セグメント指定ウインドウ」においてセグメントが指定された後に表示するとよい。ここでは、セグメント“Ｓｅｇ００１”が指定された後、ログ抽出部１０１ｄが「時間指定ウインドウ」を表示する場合を考える。図１５では、「時間指定ウインドウ」において、ログ情報が生成された時間として８：３０〜９：００が指定された状態を示している。時間情報の指定は、例えば、操作部６００（先の図２参照）がリモート・コントローラである場合、リモート・コントローラに設けられた所定のボタンをユーザが押すことによりなされる。ログ抽出部１０１ｄが表示する「時間指定ウインドウ」は、この例に限定されず、ログ情報の時間情報を選択できる画面であればよい。
【００７７】
ログ抽出部１０１ｄは、ログＤＢ１０６ｂのログ情報の中から、セグメント識別子“Ｓｅｇ００１”を含み、８：３０〜９：００の間に生成されたログ情報のレコードを抽出する。図１６は、ログ表示部１０１ｅが表示するログウインドウの一例を示す。図１６を参照するに、ログ表示部１０１ｅは、抽出したレコードに基づいてログ情報を出力し、ディスプレイ３００に表示する。
【００７８】
この例では、ログ抽出部１０１ｄは、セグメント情報とログ情報が生成された時間情報とに基づいてログ情報を抽出しているが、コンテンツを識別するコンテンツ情報とログ情報が生成された時間情報とに基づいてログ情報を抽出してもよい。この場合、ログ抽出部１０１ｄは、先の図１３に示す「コンテンツ指定ウインドウ」においてコンテンツが指定された後に「時間指定ウインドウ」を表示するとよい。
【００７９】
第３実施形態によると、マルチメディア端末１００のログ抽出部１０１ｄは、セグメントを識別するセグメント情報またはコンテンツを識別するコンテンツ情報と、ログ情報が生成された時間情報との指定を受け付ける。そしてこれら情報に基づいて、ログ情報をログＤＢ１０６ｂから選択的に抽出する。このように、マルチメディア端末１００は、セグメント情報またはコンテンツ情報だけでなくさらにログ情報が生成された時間情報の指定を受け付けることによって、ユーザの所望する時間のコンテンツのログ情報を選択的に抽出することができる。
【００８０】
＜第４実施形態＞
第４実施形態では、マルチメディア端末のログ抽出部は、セグメントの指定に加え、さらに指定されたセグメントで出力されているコンテンツまたは出力されたコンテンツの指定を受け付ける。それ以外は、第４実施形態は前述の第１実施形態と同様の構成を有する。
【００８１】
ログ抽出部１０１ｄは、セグメント識別子及びコンテンツ識別子に加え、コンテンツの出力時間を対応付けテーブル１０６ａから読み出す。ログ抽出部１０１ｄは、読み出した情報に基づき、セグメント識別子及びコンテンツ識別子の指定を受け付ける。この例では、セグメントの指定を受け付け、受け付けたセグメントに出力中または出力されたコンテンツの中からいずれかの指定を受け付ける。
【００８２】
図１７Ａ及び１７Ｂは、第４実施形態のログ抽出部１０１ｄが表示する「コンテンツ指定ウインドウ」の例を示す。図１７Ａの「コンテンツ指定ウインドウ」は、指定されたセグメント“Ｓｅｇ００１”に対応付けられた「コンテンツ識別子」を示している。図１７Ｂの「コンテンツ指定ウインドウ」は、「コンテンツ識別子」に加えさらにコンテンツの出力時間である「出力時間」を対応付けて示している。
【００８３】
図１７Ａ及び１７Ｂを参照するに、「コンテンツ指定ウインドウ」は、例えば先の図９に示す「セグメント指定ウインドウ」においてセグメントが指定された後に表示するとよい。この例では、指定されたセグメント“Ｓｅｇ００１”に出力中のまたは出力されたコンテンツのコンテンツ識別子が、新しい順に表示されている。ここで例えば、コンテンツ“ｍｏｖｉｅ  Ｚ”が指定された場合を考える。ログ抽出部１０１ｄは、ログＤＢ１０６ｂのログ情報の中から、セグメント“Ｓｅｇ００１”及びコンテンツ  “ｍｏｖｉｅ  Ｚ”を含むレコードを抽出する。ログ表示部１０１ｅは、抽出したレコードに基づいてログ情報を出力し、ディスプレイ３００に表示する。これにより、ユーザは、現在出力中のコンテンツだけでなく、過去に出力されたコンテンツのログ情報もセグメントごとに参照することができる。
【００８４】
ログ抽出部１０１ｄは、例えば「セグメント識別子」とコンテンツの出力時間である「出力時間」の指定を受け付けて、ログＤＢ１０６ｂのログ情報の中から、レコードを抽出してもよい。また、例えば「コンテンツ識別子」の指定を受け付け、受け付けた「コンテンツ識別子」を含むログ情報から、「セグメント識別子」の指定を受け付けることによりログ情報を抽出してもよい。また、同一の「コンテンツ識別子」に対して複数の「出力時間」を表示し、いずれかの「出力時間」の指定を受け付けることもできる。ユーザは、あるセグメントで表示されたコンテンツのログ情報を、コンテンツの出力時間により選択的に見ることができる。
【００８５】
ログ抽出部１０１ｄは、さらに「優先度レベル」を用いて、ログ表示部１０１ｅに渡すログ情報を選択することもできる。例えば、優先度レベル“ｅｒｒｏｒ”を有するログ情報を抽出するとしてもよい。また、「優先度レベル」と、前述の「セグメント識別子」、「コンテンツ識別子」及び／又は「出力時間」とを組み合わせてログ情報を抽出してもよい。
【００８６】
第４実施形態では、マルチメディア端末１００のログ抽出部１０１ｄは、「セグメント識別子」、「コンテンツ識別子」、「出力時間」及び／又は「優先度レベル」を組み合わせてログ情報を抽出する。マルチメディア端末１００は、あるセグメントで次々に異なるコンテンツが出力される場合であっても、「セグメント識別子」と「コンテンツ識別子」との指定を受け付けることで、指定されたセグメントで出力された所望のコンテンツのログ情報だけを選択的に表示できる。
【００８７】
また、同様に同じセグメントに同じコンテンツまたは次々に異なるコンテンツが出力されても、マルチメディア端末１００は、「セグメント識別子」の指定だけでなくコンテンツの「出力時間」の指定を受け付けることで、そのコンテンツのログ情報のうち指定された出力時間に対応する部分を選択的に表示することができる。
【００８８】
同じセグメントに同じコンテンツが出力され続けている場合、マルチメディア端末１００は「セグメント識別子」または「コンテンツ識別子」と、「出力時間」との指定を受け付けることにより、指定された「セグメント識別子」に対応するログ情報または指定された「コンテンツ識別子」のログ情報の中から、さらに指定された出力時間に対応するログ情報の部分を選択的に抽出し表示することができる。
【００８９】
さらに、マルチメディア端末１００は、優先度レベルを用い、重要なログ情報、例えばシステムの破損やハードウェア障害に関するログ情報だけを選択的に表示することができる。また、ログ情報表示システムは、優先度レベルに、セグメント識別子、コンテンツ識別子及び／又は出力時間を適宜組み合わせた指定を受け付けてログ情報を抽出することで、ユーザの所望するログ情報をより選択的に表示することができる。
【００９０】
＜第５実施形態＞
第５実施形態では、マルチメディア端末は、ログ情報の出力を、操作部６００を介したユーザによる出力指示を待たずに行う。第５実施形態では、ログ抽出部１０１ｄは、ログ情報に含まれる前述の優先度レベルに基づいてセグメント識別子及びコンテンツ識別子のいずれかを特定し、特定したセグメント識別子及びコンテンツ識別子のいずれかを含むログ情報を抽出する。それ以外は、第５実施形態は前述の第１実施形態と同様の構成を有する。
【００９１】
ログ抽出部１０１ｄは、例えば、所定時間間隔でログＤＢ１０６ｂを参照し、所定以上の優先度レベルを含むレコードがあるか否かを判断する。所定以上の優先度レベルを含むレコードがある場合には、ログ抽出部１０１ｄは、それらのレコードをセグメント識別子及びコンテンツ識別子のいずれかに基づいて分類する。なお、ログ抽出部１０１ｄは、所定の時刻にログＤＢ１０６ｂを参照してもよい。
【００９２】
ログ表示部１０１ｅは、先の図１１Ａおよび図１１Ｂに例示するログウインドウをセグメント毎に出力し、ディスプレイ３００に表示する。ログウインドウには、優先度レベルに加えて、抽出されたログ情報に含まれる他の情報、例えばセグメント識別子やコンテンツ識別子が表示される。優先度レベルに加えてセグメント識別子またはコンテンツ識別子の少なくともいずれかを表示することが好ましい。また、コンテンツ毎のログウインドウを表示してもよい。
【００９３】
第５実施形態によると、マルチメディア端末１００のログ抽出部１０１ｄは、ログＤＢ１０６ｂを参照して所定以上の優先度レベルを含むログ情報を抽出し、ログ表示部１０１ｅは、抽出したログ情報の優先度レベルとともに、そのログ情報に含まれるセグメント識別子やコンテンツ識別子をディスプレイ３００に表示する。よって、所望の優先度レベルに加えてどんな情報を出力するか予め設定しておくことで、ユーザによるログ情報の出力指示を待つことなく、ユーザが所望するログ情報を膨大なログ情報の中から抽出してディスプレイ３００に表示させることができる。
【００９４】
＜第６実施形態＞
第６実施形態では、マルチメディア端末から出力されるコンテンツは、例えば動画、静止画、テキストだけでなく音声データも含む。またコンテンツの出力先として、ディスプレイ３００だけでなくスピーカ３０１も含む。それ以外は、第６実施形態は前述の第１実施形態と同様の構成を有する。
【００９５】
図１８は、第６実施形態における対応付けテーブルの一例を示す。
【００９６】
図１８を参照するに、セグメント“Ｓｅｇ０１１”、“Ｓｅｇ０１２”には（ｘ、ｙ）座標で定義される表示領域が割り当てられ、動画など視覚的に認識可能なコンテンツが対応づけられている。セグメント“Ｓｅｇ０１３”にはスピーカ３０１が割り当てられ、音声データのコンテンツが対応付けられている。
【００９７】
図１９は、音声データのコンテンツ“ｍｕｓｉｃ  Ｃ”の出力に不具合が発生した状態を示す。図１９を参照するに、ディスプレイ３００のセグメント“Ｓｅｇ０１１”、“Ｓｅｇ０１２”にそれぞれ、“ｍｏｖｉｅ  Ｃ”、“ｔｅｘｔ  Ｃ”が表示され、さらに、“Ｓｅｇ０１３”（スピーカ３０１）に“ｍｕｓｉｃ  Ｃ”が割り当てられている際に、“ｍｕｓｉｃ  Ｃ”の出力に不具合が発生した状態した状態を示している。
【００９８】
図２０は、音声コンテンツの出力に不具合が発生したことを示す画面例である。
【００９９】
図２０を参照するに、この画面は、不具合の通知と同時に、ログ情報を見るかどうかのユーザの意思を確認する「確認ウインドウ」と、セグメントの指定を受け付ける「セグメント指定ウインドウ」とを兼用している。セグメントが指定された後の画面遷移や処理の流れは、第１実施形態と同様である。
【０１００】
なお、音声データのコンテンツ出力に不具合が発生した場合、所定の通知音により不具合の発生を通知してもよい。この場合、所定のユーザ入力に応じて、先の図８に例示する「確認ウインドウ」を表示し、その後前述の第１実施形態と同様の処理を実行することにより、セグメントの指定に応じたログ情報を表示することができる。
【０１０１】
またこの例では、ログ情報を抽出するためにセグメントを特定しているが、コンテンツが特定されてもよい。この場合、前述の第２実施形態と同様の処理を実行し、指定されたコンテンツ識別子を含むレコードを抽出し、その一部、全体または最新の情報をディスプレイ３００に表示する。
【０１０２】
第６実施形態によると、視覚的に検出可能であるコンテンツだけでなく、ディスプレイ３００に出力領域を有さない音声データについても、セグメントを識別するセグメント情報が割り当てられている。マルチメディア端末１００は、音声データを識別するコンテンツ情報の指定及び／又はスピーカ３０１を識別するセグメント情報の指定をユーザから受け付け、指定された情報を含むログ情報をログＤＢ１０６ｂから選択的に抽出しディスプレイ３００に出力する。従って、動画、静止画及びテキストなどの視覚的に認識可能なコンテンツだけでなく、視覚的に認識できない音声データが各セグメントに並行に出力されている場合であっても、ユーザは、所望のセグメントに出力された音声データのログ情報を膨大なログ情報の中から選択的に参照することができる。
【０１０３】
＜その他の実施形態＞
（Ａ）第１実施形態ではマルチメディア端末１００がサーバ２００からコンテンツを取得する場合を示しているが、コンテンツはマルチメディア端末１００から取得可能でさえあればどこに存在していてもよい。例えばコンテンツは、マルチメディア端末１００内部の記憶領域や外付けの記憶装置に記憶されていてもよい。またコンテンツは、マルチメディア端末１００からネットワークを介してアクセス可能なコンテンツデータベースやその他のネットワークリソース上に記憶されていてもよい。
【０１０４】
（Ｂ）第１実施形態では、マルチメディア端末１００は、１つのサーバ２００から配信されるコンテンツをディスプレイ３００に出力する場合を示している。しかし、マルチメディア端末１００は、複数のサーバ２００から配信されるコンテンツを取得してディスプレイ３００に出力してもよい。例えば、マルチメディア端末１００は、ネットワークを介して複数のサーバ２００と接続されていて、サーバ２００のそれぞれから異なるコンテンツを取得してディスプレイ３００に出力してもよい。
【０１０５】
（Ｃ）マルチメディア端末１００は、複数のコンテンツを、対応付けられたセグメントに出力する端末であればよい。また、マルチメディア端末１００は、複数のコンテンツを、対応付けられた時間に対応付けられたセグメントに出力する端末であってもよい。例えば美術館、博物館や学習塾等に設置されていて、展示や授業についての説明画像の自動再生を行う情報端末であってもよい。また、例えばＤＶＤ再生装置など単体の画像再生装置であってもよい。また、マルチメディア端末１００は、ディスプレイを備えてもよく、操作部を備えてもよい。
【０１０６】
（Ｄ）本発明のログ情報の出力のタイミングは、コンテンツの出力に不具合が発生した場合に限らない。例えば、ログ表示部１０１ｄは、何時でも「セグメント指定ウインドウ」または「コンテンツ指定ウインドウ」の表示の指示を操作部６００（図２参照）を介して受け付けることができる。ユーザは、コンテンツ出力の不具合の発生に関係なく、ログ情報を参照したい場合はいつでも参照したいセグメントおよびコンテンツのいずれかを指定し、必要なログ情報を容易に参照することができる。
【０１０７】
（Ｅ）前述した方法をコンピュータに実行させるコンピュータプログラム及びそのプログラムを記録したコンピュータ読み取り可能な記録媒体は、本発明の範囲に含まれる。ここで、コンピュータ読み取り可能な記録媒体としては、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリを挙げることができる。
【０１０８】
先のコンピュータプログラムは、先の記録媒体に記録されたものに限られず、電気通信回線、無線又は有線通信回線、インターネットを代表とするネットワーク等を経由して伝送されるものであってもよい。
【０１０９】
（Ｆ）なお、第１〜第５実施形態においては、動画、静止画、テキストという視覚的に検出可能なコンテンツにさらに聴覚的に検出可能音声などのデータが含まれていてもよい。また、この場合は、出力装置であるスピーカがセグメントとなってもよい。
【産業上の利用可能性】
【０１１０】
本発明は、コンテンツを出力するすべての装置に適用可能である。
【符号の説明】
【０１１１】
１０      ログ情報システム
１００    マルチメディア端末
１０１    ＣＰＵ
１０１ａ  対応付け部
１０１ｂ  コンテンツ出力部
１０１ｃ  ログ生成部
１０１ｄ  ログ抽出部
１０１ｅ  ログ表示部
１０６    ハード・ディスク・ドライブ（ＨＤＤ）
１０６ａ  対応付けテーブル
１０６ｂ  ログＤＢ
２００  サーバ
３００  ディスプレイ
４００  ネットワーク
５００  ケーブル
６００  操作部
【図１】
2011523107.tif 000003
【図２】
2011523107.tif 000004
【図３】
2011523107.tif 000005
【図４】
2011523107.tif 000006
【図５】
2011523107.tif 000007
【図６】
2011523107.tif 000008
【図７】
2011523107.tif 000009
【図８】
2011523107.tif 000010
【図９】
2011523107.tif 000011
【図１０】
2011523107.tif 000012
【図１１Ａ】
2011523107.tif 000013
【図１１Ｂ】
2011523107.tif 000014
【図１２】
2011523107.tif 000015
【図１３】
2011523107.tif 000016
【図１４】
2011523107.tif 000017
【図１５】
2011523107.tif 000018
【図１６】
2011523107.tif 000019
【図１７Ａ】
2011523107.tif 000020
【図１７Ｂ】
2011523107.tif 000021
【図１８】
2011523107.tif 000022
【図１９】
2011523107.tif 000023
【図２０】
2011523107.tif 000024
【国際調査報告】
2011523107.tif 000025